【事件の表示】
　平成３年特許願第５０６８８０号「液晶媒体」拒絶査定不服審判事件〔平成３年１０月３１日国際公開、ＷＯ９１／１６４００、平成５年２月１２日国内公表、特表平５−５００６８２〕について、次のとおり審決する。
【結　論】
　本件審判の請求は、成り立たない。
【理　由】
１．手続きの経緯・本願発明及び優先権主張の検討
　本願は、１９９１年４月１２日（パリ条約による優先権主張１９９０年４月１３日ドイツ（ＤＥ）、１９９１年３月１日ドイツ（ＤＥ））を国際出願日とする出願であって、その請求項１ないし１２に係る発明は、平成１０年４月９日付け、平成１１年９月３０日付け及び平成１２年１０月２５日付け手続補正書により補正された明細書の記載からみて、一部の誤記を除いて、その特許請求の範囲の請求項１ないし１２に記載されたとおりのものと認められるところ、その請求項１に記載された発明（以下、「本願発明１」という。）は次のとおりであると認める。
「１．正の誘電異方性を有する極性化合物の混合物を基礎とする液晶媒体（「液体媒体」は誤記と認める。）であって、一般式Ｉ
　　　　　　　　　　　　　　　　　　　　　　　　　　　Ｉ
（式中、Ｘは弗素、塩素、ＣＦ３、ＯＣＦ３またはＯＣＨＦ２であり、およびＲは、それぞれの場合に７個までの炭素原子を有するアルキル、オキサアルキル、フルオロアルキルまたはアルケニルである）の１種またはそれ以上の化合物、および
一般式ＩＩ、ＩＩＩおよびＩＶ：
　　　　　　　　　　　　　　　　　　　　　　　　　　　ＩＩ　　　　
　　　　　　　　　　　　　　　　　　　　　　　　　　　ＩＩＩ
　　　　　　　　　　　　　　　　　　　　　　　　　　　ＩＶ　　
（式中、それぞれの基は以下に定義する通りである：
Ｒ：それぞれの場合に７個までの炭素原子を有するアルキル、オキサアルキル、フルオロアルキルまたはアルケニル；
Ｘ：Ｆ、Ｃｌ、ＣＦ３、ＯＣＦ３またはＯＣＨＦ２；
Ｙ１およびＹ２：それぞれの場合にＦ；
ｒ：０または１）
から成る群から選択される１種またはそれ以上の化合物をさらに含有し、該混合物のしきい値電圧（「しきい電圧」は誤記と認められる。）が１．６ボルト以下であることを特徴とする液晶媒体。」
　　　　　
　ここで、上記本願発明１での、「一般式ＩＩ、ＩＩＩおよびＩＶ：・・・の化合物をさらに含有し」との構成要件（即ち、該式で特定されるところの、置換基ＸがＦなど、Ｙ１およびＹ２がＦである化合物を含有する点）は、本願の優先権主張の基礎としている独国特許出願のＰ４０１２０１３．９号明細書および同Ｐ４１０６５２９．８号明細書のいずれの明細書にも記載されていないので、本願発明１に関して該独国特許出願のＰ４０１２０１３．９号および同Ｐ４１０６５２９．８号を、優先権主張の基礎とすることができず、本願発明１は、優先権の利益を享受できないものである。
　　　　　　　
２．原査定の理由
　原査定の拒絶の理由の概要は、本願の請求項１等に係る発明は、本願の出願日（１９９１年４月１２日）前に頒布された刊行物である「欧州特許出願公開第４１４０４８号明細書（略称ＥＰ４１４０４８号明細書）」（以下、「引用例１」という。）、「特開平２−２３３６２６号公報」（以下、「引用例２」という。）に記載された発明に基いて当業者が容易に発明をすることができたものであるから、特許法第２９条第２項の規定により特許を受けることができない、というものである。
　なお、平成１２年４月１４日付けの拒絶理由通知書には、上記引用例１が「ＥＰ４１４０８８号明細書（特開平３−８５５３２号公報）」と記載されているが、ＥＰ４１４０８８号明細書に記載されている発明は、流体トルクコンバーター用ロックアップクラッチの制御装置に係る発明であって、本願とは全く異なる技術分野に係るものであること、および、出願人は、意見書においてパテントファミリーとして併記された特開平３−８５５３２号公報に対応するＥＰ４１４０４８号明細書の内容に基いて意見を述べていること、さらに、審判請求書補正書によれば該ＥＰ４１４０８８号明細書は、ＥＰ４１４０４８号明細書の誤記であることを出願人は理解しており、誤記を争っていないことから、上記のように認定した。
　　　　　　　　　
３．引用例に記載された事項
（１）引用例１（欧州特許出願公開第４１４０４８号明細書）
　（摘示事項は和訳で示す。）
ア．「１．フレームと共にセルを形成する２枚の平らな平行支持板；前記支持板上の個々の像点を切り替えるための集積非線形素子；および前記セル中に収容された、正の誘電異方性および高い比抵抗を有するネマティック液晶混合物を有するマトリックス液晶ディスプレイであって、前記液晶混合物が、
　ａ）＋１．５より高い誘電異方性を有する１種またはそれ以上の化合物から成る９６重量％までの液晶成分Ｂ；
　ｂ）−１．５＋１．５の誘電異方性を有する一般式Ｉ；・・・の１種またはそれ以上の化合物から成る０〜７０重量％の液晶成分Ａ；
　ｃ）−１．５より低い誘電異方性を有する１種またはそれ以上の化合物から成る０〜２０重量％の液晶成分Ｃ；および
　ｄ）式・・・の１種またはそれ以上の化合物から成る４〜１５重量％の高透明化成分Ｄ、
を基礎として構成され、および前記ネマティック液晶混合物が少なくとも６０℃のネマティック相領域および２０℃で３０ｍＰａ．ｓ以下の粘度を有するものであることを特徴とするディスプレイ。
・・・
１７．請求項１〜１６のいずれかに定義した組成物からなる液晶混合物。」（第２１〜２７頁の特許請求の範囲）
イ．「本明細書においてＭＦＫ−ディスプレイと言う用語は集積非線形素子を有するいかなるマトリックスディスプレイ、すなわちアクティブマトリックスに加えてバリスタまたはダイオード（ＭＩＭ＝金属−絶縁体−金属）等のパッシブ素子を有するディスプレイも包含するものである。」（第３頁４〜６行）
ウ．「したがって、同時に、大きな作用温度範囲、短い切り替え時間および低いしきい値電圧を伴う非常に高い比抵抗を有するＭＦＫ−ディスプレイをなお大いに必要としている。本発明の目的は、上記に明記した不都合を有せず、またはほんの僅かしか有せず、同時に非常に高い比抵抗を有するＭＦＫ−ディスプレイを提供することにある。先に特定した成分Ａ、ＢおよびＣ、・・・または成分Ｂを基礎として構成されるネマティック液晶混合物を前記ディスプレイ要素に使用する場合に、この目的が達成できることをここに見い出した。」（第３頁１８〜２５行）
エ．「成分Ｂが式ＩＩａ〜ＩＩｆの化合物から成る群から選択される一種またはそれ以上の化合物を含んでいる液晶混合物が特に好ましい。
・・・
　特に好ましい小群の化合物を以下に明示する。
　　　　　　　　　　　　　　　　　　　　　　　　　　ＩＩａ１
・・・
　　　　　　　　　　　　　　　　　　　　　　　　　　Ｉｄ１　
・・・
　下位式ＩＩａ１〜ＩＩｆ３において、Ｒは、それぞれの場合に、９個までの炭素原子を有するｎ−アルキルまたはｎ−アルケニルである。ＹおよびＺは、それぞれの場合に互いに独立して、ＨまたはＦであるが、同時に基ＹおよびＺの一方または両方がフッ素であるのが好ましい。しかしながら、ＸはＦ、Ｃｌ、−ＣＦ３、−ＯＣＦ３または−ＯＣＨＦ２であるのが好ましい。
成分Ｂは本発明の混合物の１０％〜１００％、特に２０％〜８０％を占めるのが好ましい。」（第５頁２５行〜第８頁３６行）
オ．「成分Ａ〜Ｄに関して特定した好ましい化合物から本質的に成るのが好ましい本発明の混合物が、ここでは明示的に列挙しないさらに他の化合物を必要に応じて含みうることは自明のことである。」（第１２頁４８〜５０行）
カ．「以下の実施例は、本発明を説明するものであり、本発明を限定するものではない。上記および下記において、温度は全て℃表示であり、パーセントは重量％である。
　実施例１〜２５の混合物の組成を、個々の成分を次のように符号化して以下に詳述する。
・・・
ＰＣＨ−５Ｆ：トランス−１−ｐ−フルオロフェニル−４−ペンチルシクロヘキサン
・・・
ＰＣＨ−７Ｆ：トランス−１−ｐ−フルオロフェニル−４−ヘプチルシクロヘキサン
・・・
ＥＣＣＰ−５Ｆ：１−［トランス−４−（トランス−４−ペンチルシクロヘキシル）シクロヘキシル］−２−（ｐ−フルオロフェニル）エタン
ＣＰ−３Ｆ：トランス−４−（トランス−４−プロピルシクロヘキシル）シクロヘキサンカルボン酸ｐ−フルオロフェニル
・・・
ＰＣＨ−２：ｐ−トランス−４−エチルシクロヘキシルベンゾニトリル
・・・
ＣＣＰＣ−３３：トランス−（トランス−４−プロピルシクロヘキシル）シクロヘキサンカルボン酸ｐ−（トランス−４−プロピルシクロヘキシル）フェニル
・・・」（第１３頁１１行〜第１４頁１７行）
キ．「実施例１３
ＰＣＨ−２　　　　　９．００
ＰＣＨ−３　　　　２２．００
ＰＣＨ−４　　　　　４．００
ＰＣＨ−５Ｆ　　　１２．００
ＰＣＨ−７Ｆ　　　１１．００
ＥＣＣＰ−３Ｆ　　　９．００
ＥＣＣＰ−５Ｆ　　　８．００
ＣＰ−３Ｆ　　　　　９．００
ＣＰ−５Ｆ　　　　　７．００
ＣＣＰＣ−３３　　　５．００
ＣＣＰＣ−３５　　　４．００
　　　　
実施例１４
ＰＣＨ−２　　　　　８．００
ＰＣＨ−３　　　　２１．００
ＰＣＨ−４　　　　　７．００
ＰＣＨ−５Ｆ　　　１２．００
ＰＣＨ−７Ｆ　　　１１．００
ＥＣＣＰ−３Ｆ　　　９．００
ＥＣＣＰ−５Ｆ　　　８．００
ＣＰ−３Ｆ　　　　　９．００
ＣＰ−５Ｆ　　　　　８．００
ＣＣＰＣ−３３　　　４．００
ＣＣＰＣ−３４　　　３．００
・・・
　実施例１〜１８の混合物の特性を以下の表に示す。
（以下表中、実施例１３、１４に関する部分のみを示す。）
　　　　　　　　　　　　　           　　　　　　　　実施例
　特性　　　　　　　　　　　　　　　　１３　　　　１４
−−−−−−−−−−−−−−−−−−−−−−−−−−−
透明点［℃］　　　　　　　　　　　　　７５　　　　７２
粘度［２０℃、ｍＰａ．ｓ］　　  　　　１７　　　　１６
Δε　　　　　　　　　　　　　　　＋７．９　　＋７．９
ε‖　　　　　　　　　　　　　　　１１．９　　１１．９
Ｖ（１０，０，２０）［ボルト］ 　　１．５６　　１．４８   」（第１８頁１行〜第１９頁４５行）
　　　　　
（２）引用例２（特開平２−２３３６２６号公報）
ク．「（１）一般式
（式中Ｒは１ないし１０個の炭素原子を有するアルキル基であり、これらの基中に存在する１個の−ＣＨ２−基または隣接していない２個の−ＣＨ２−基はＯ原子および（または）−ＣＯ−基および（または）−ＣＯＯ−基および（または）−ＣＨ＝ＣＨ−基に置き換えられてもよい。−Ａ−および−Ｂ−は１，４−シクロへキシレン、１，４−フエニレン、ピリミジン−２，５−ジイル、１，３−ジオキサン−２，５−ジイルであり、ｌは０、１または２を、ｍは０、１または２を示しｌ＋ｍ≧１である。Ｚ１およびＺ２は−ＣＯＯ−、−ＯＣＯ−、−ＣＨ２ＣＨ２−、−ＯＣＨ２−、−ＣＨ２Ｏ−、−ＣＨ＝ＣＨ−または単結合であり、Ｚ１、Ｚ２は同じかまたは異つていてもよい。）で表わされることを特徴とするトリフルオロベンゼン誘導体。
（２）請求項（１）記載の化合物を２〜４０重量％含有することを特徴とする液晶組成物。」（第１頁の特許請求の範囲）
ケ．「本発明は液晶材料の一成分として用いられるトリフルオロベンゼン誘導体、さらに詳しくは、高信頼性を要するパツシブ方式およびアクテイブマトリツクス方式に有用な液晶組成物の一成分として好適な化合物、および該誘導体を含有する優れた特性を有する液晶組成物に関する。」（第１頁右欄第９〜１４行）
コ．「近年液晶表示素子の応用範囲の拡大に伴い、パツシブ方式およびアクテイブマトリツクス方式において液晶組成物の低消費電流化および高比抵抗率化さらにそれらの経時変化率低下等の高信頼性化および高表示コントラスト等を要求する液晶表示素子が増加しつつある。しかしながら、ＣＮ基のような分極性の強い基は前述の誘電率異方性に対する寄与とは逆に上述した消費電流、比抵抗、それらの経時変化率ひいては表示コントラストに問題があった。・・・最近これらの問題を解決するべく、末端基あるいは側鎖に１ないし２個のハロゲン原子、特に粘性の面からフツ素原子を導入した化合物が数多く発表されている。
　これらの化合物の例としてつぎに示す化合物があげられる。
　　　　　　　　　　　　　　　　（米国特許第４，４９０，３０５号）
・・・
　　　　　　　　　　　　　　　　（特開昭第５９−２２５１２９号公報）
・・・
　　　　　　　　　　　　　　　　（米国特許第４，４０５，４８８号）
・・・
（上記式中Ｒは直鎖状のアルキル基を示す。）
　これらの化合物の多くは、比較的安定で信頼性が高い液晶材料であると報告されているが、Δεは約＋３〜＋５程度と比較的小さく、また、これらの化合物のみからなる液晶組成物のΔεも小さく駆動電圧を低下させることはできない。
　本発明はこれらの問題点を解決することが目的であり、安定性にすぐれかつΔεが正で大きい化合物を提供することである。」（第２頁右上欄９行〜第３頁左下欄第１行）
サ．「これら各式の化合物の中で特に好ましい化合物を次に例示する。
　　　　　　　　　　　　　　　　　　　（Ｉａａ）
・・・
　　　　　　　　　　　　　　　　　　　（Ｉｄａ）
　　　　　　　　　　　　　　　　　　　（Ｉｄｂ）
　　　　　　　　　　　　　　　　　　　（Ｉｅａ）
・・・
　これらの式において、アルキル基Ｒは１ないし１０個の炭素原子を有するアルキル基であり、これらの基中に存在する１個の−ＣＨ２−基または隣接していない２個の−ＣＨ２−基は、Ｏ原子および（または）−ＣＯ−基および（または）−ＣＯＯ−基および（または）−ＣＨ＝ＣＨ−基に置き換えられてもよく、または分岐鎖状アルキル基であることもできるが、特に好ましくは直鎖状である。」（第４頁左上欄７行〜第５頁左上欄１行）
シ．「以下の実施例は本発明を制限なく説明しようとするものである。
　Ｃ−Ｉ点：結晶−等方性液体相転移点
　Ｃ−Ｎ点：結晶−ネマチック相転移点
　Ｎ−Ｉ点：ネマチック相−等方性液体相転移点
全ての温度は摂氏度（℃）で示す。
実施例１
１−（トランス−４−ペンチルシクロヘキシル）−３，４，５−トリフルオロベンゼンの製造（式Ｉａａで、Ｒ＝Ｃ５Ｈ１１−の化合物、化合物Ｎｏ．１）
・・・
実施例４
１−〔トランス−４−（トランス−４−プロピルシクロヘキシル）シクロヘキシル〕−３，４，５−トリフルオロベンゼンの製造（式ＩｄａでＲ＝Ｃ３Ｈ７−の化合物、化合物Ｎｏ．３１）
・・・
実施例６
１−（トランス−４−プロピルシクロヘキシル）２−〔トランス−４−（３，４，５−トリフルオロフェニル）シクロヘキシル〕エタンの製造（式ＩｄｂでＲ＝Ｃ３Ｈ７−の化合物、化合物Ｎｏ．５１）
・・・
実施例９
１−（トランス，トランス−４−プロピルビシクロヘキシル）−２−（３，４，５−トリフルオロフェニル）エタンの製造（式ＩｅａでＲ＝Ｃ３Ｈ７−の化合物、化合物Ｎｏ．８１）
・・・」（第８頁右上欄７行〜第１３頁右下欄末行）
ス．「応用例１
　　　　　　　　　　　　　　　　　　　　　　３３．３３重量部
　　　　　　　　　　　　　　　　　　　　　　３３．３３　〃　
　　　　　　　　　　　　　　　　　　　　　　３３．３３　〃
からなる液晶組成物ＡのＮ−Ｉ点は１１２．４℃、２０℃における粘度は２５．７ｃＰ、Δｎは０．０８１であり、この液晶組成物をセル厚８．７μｍのＴＮセルに封入しそのしきい値電圧を調べたところ２．５６Ｖであった。この液晶組成物８５重量部に本発明の実施例１（化合物Ｎｏ．１）に示した化合物１５重量部を加えた液晶組成物のＮ−Ｉ点は、７７．７℃、２０℃における粘度は１７．９ｃＰであった。この液晶組成物を前述のＴＮセルに封入しそのしきい値電圧を調べたところ、１．９４Ｖに低下した。
応用例２
　応用例１で使用した液晶組成物Ａ：８５重量部と本発明の実施例４に示した化合物（化合物Ｎｏ．３１）１５重量部よりなる液晶組成物を調整した。この液晶組成物のＮ−Ｉ点は１１０．７℃、２０℃における粘度は２５．０ｃＰであった。この液晶組成物を前述のＴＮセルに封入したもののしきい値電圧は２．３２Ｖであった。
応用例３
　応用例１で使用した液晶組成物８５重量部と実施例６（化合物Ｎｏ．５１）に示した本発明の化合物１５重量部より液晶組成物を調整した。この液晶組成物のＮ−Ｉ点は１０７．４℃、２０℃における粘度は２４．９ｃＰであった。この組成物を前述のＴＮセルに封入したもののしきい値電圧は２．１２Ｖであった。
応用例４
　応用例１で使用した液晶組成物８５重量部と実施例９（化合物Ｎｏ．８１）に示した本発明の化合物１５重量部より液晶組成物を調整した。この液晶組成物のＮ−Ｉ点は１１０．０℃、２０℃における粘度は２５．７ｃＰであった。この液晶組成物を前述のＴＮセルに封入したもののしきい値電圧は２．３８Ｖであった」（第１９頁左下欄１行〜第２０頁左上欄３行）
セ．「本発明によって提供される化合物は誘電率の異方性Δεが大きく、低粘度であるので、これらの化合物を使用することにより得られる液晶組成物の粘度を上昇させることなく、駆動電圧を低下させることが可能となった。」（第２０頁左上欄第５〜９行）
　　　
４．対比・判断                                       
　引用例１には、非常に高い比抵抗を有するＭＦＫ−ディスプレイ（マトリックス液晶ディスプレイの略；本願明細書記載の「ＭＬＣディスプレイ」に相当する。）に有用な、パッシブ方式およびアクテイブマトリツクス方式の液晶表示素子用の液晶混合物つまり液晶媒体が記載されており（摘示事項イ、ウ参照）、それが正の誘電異方性を有する極性化合物の混合物を基礎とする液晶混合物（液晶媒体）であることも記載されている（摘示事項ア、ウ、エ参照）。しかも、その液晶混合物（液晶媒体）として、実施例１３、１４には、本願発明１で規定する一般式Ｉの化合物に該当する符号ＰＣＨ−５ＦやＰＣＨ−７Ｆの化合物、および本願発明１で規定する一般式ＩＩＩの化合物に類似するが、フルオロ基（−Ｆ）が一つである符号ＥＣＣＰ−３ＦやＥＣＣＰ−５Ｆの化合物（以下、「モノフルオロ系化合物」という。）などを含有する混合物が記載されており、それらのしきい値電圧（Ｖ（１０，０，２０） ）は、それぞれ、１．５８ボルト、１．４８ボルトであって、いずれも本願発明１で規定する１．６ボルト以下であることも明記されている（摘示事項カ、キ、参照）。
　したがって、引用例１には、「正の誘電異方性を有する極性化合物の混合物を基礎とする液晶媒体であって、本願発明１で規定する一般式Ｉの化合物、および他の化合物を含有し、該混合物のしきい値電圧が１．６ボルト以下であることを特徴とする液晶媒体。」（以下、「引用発明」という。）が記載されていると認められる。
　そこで、本願発明１と引用発明とを対比すると、両者は、「正の誘電異方性を有する極性化合物の混合物を基礎とする液晶媒体であって、本願発明１で規定する一般式Ｉの化合物、および他の化合物を含有し、該混合物のしきい値電圧が１．６ボルト以下であることを特徴とする液晶媒体。」である点で一致し、併用する他の化合物として、前者は、本願発明１で規定する一般式ＩＩ、ＩＩＩ及びＩＶから成る群から選択される１種またはそれ以上の化合物を含有するのに対し、後者は、そのような化合物を含有していない点で相違する。
　この相違点について検討する。
　引用例２には、本願発明１及び引用発明と同様に、パッシブ方式およびアクテイブマトリツクス方式に有用な液晶組成物つまり液晶媒体に係る発明が記載されており、そこでは、その液晶組成物（液晶媒体）の一成分として好適な、安定性にすぐれ、誘電率の異方性Δεが正で大きく、低粘度である化合物として、本願発明１で規定する一般式ＩＩ〜ＩＶの化合物を包含する特定のトリフルオロベンゼン誘導体が記載されている（摘示事項ク、ケ、コ（特に第３頁右上欄末行〜同左下欄１行）、サ、シ、セ参照）。
　さらに、引用例２には、該トリフルオロベンゼン誘導体は、本願発明１で規定する一般式Ｉの化合物や引用発明のモノフルオロ系化合物などの既知液晶化合物の「Δεは約＋３〜＋５程度と比較的小さく、また、これらの化合物のみからなる液晶組成物のΔεも小さく駆動電圧を低下させることはできない。」などの点を改善するためのものであること（摘示事項コ参照）、および、その効果を示す例として、応用例１〜４には、既知のフルオロ基含有液晶化合物の混合物から成る組成物Ａに、本願発明１で規定する一般式ＩＩ〜ＩＶの化合物に該当する、化合物Ｎｏ．１（一般式ＩＩの化合物に該当）、化合物Ｎｏ．３１（一般式ＩＩの化合物に該当）、化合物Ｎｏ．５１（一般式ＩＶの化合物に該当）および化合物Ｎｏ．８１（一般式ＩＩＩの化合物に該当）をそれぞれ配合した場合、いずれの場合も、得られる液晶組成物の粘度は上昇せず（配合前と同等または低下する）、しきい値電圧は低下するという液晶組成物の特性の改善が得られることが記載されている（摘示事項スおよびサ、シ参照）。
　ここで、引用発明は、「ここでは明示的に列挙しないさらに他の化合物を必要に応じて含みうる」（摘示事項オ参照）ものであるから、引用発明において、しきい値電圧などの特性の改善の為に、引用例２に記載されている化合物、特にその応用例で具体的に示される如き本願発明１で規定する一般式ＩＩ〜ＩＶの化合物から成る群から選択される１種またはそれ以上の化合物をさらに含有することは、上記引用例２に記載された当業者に公知の技術的事項から当業者の容易に想到し得るところであり、それによる効果も、引用例１、２の記載からみて、当業者の予想するところである。
　　　　
　なお、出願人は、審判請求書の平成１３年１０月１９日付け手続補正書において、「（刊行物１（引用例１）の）実施例１３と実施例１４はＣＰ−ｎＦ化合物（エステル化合物）を含んでいるためにしきい電圧が低下している。」旨主張しているが、本願発明１は、上記１．で認定したように、正の誘電異方性を有する極性化合物の混合物を基礎とする液晶媒体であって、特に規定する成分以外の成分をも含有しうるものであり、その成分として、いかなる化合物をも排除するものではないので、該出願人の主張は、本願発明１の構成に基づかない主張であり、採用できない。
　　　
５．むすび
　以上のとおり、本願発明１は、本願の出願日前に頒布された刊行物である上記引用例１、２に記載された発明に基いて当業者が容易に発明をすることができたものであり、特許法第２９条第２項の規定により特許を受けることができないから、本願の請求項２ないし１２に係る発明については審理をするまでもなく、本願は拒絶すべきものである。
　よって、結論のとおり審決する。